(57)【特許請求の範囲】
【請求項１】
パチンコ遊技機の裏側に配設される球抜き部(28)の内部に形成され、球排出経路(10)に上部で連通すると共に下部で球払出装置(22)に連通する払出し路(38)と、この払出し路(38)の途中に開設した開口(34a)に上部で連通すると共に下部で機外に開放する球抜き路(40)と、前記払出し路(38)に位置して前記開口(34a)を開閉自在に制御する遊技球切換部材(42)とからなり、この遊技球切換部材(42)は常には第１位置(X)にあって前記開口(34a)を閉成し、該遊技球切換部材(42)を第２位置(Y)へ到来させることで該開口(34a)を開放し、前記球排出経路(10)の遊技球を前記払出し路(38)から球抜き路(40)を介して機外へ排出するよう構成したパチンコ遊技機の球抜き機構において、
前記遊技球切換部材(42)は、
前記球抜き部(28)に設けた通孔(30a,32a)に摺動自在に挿通されて前記払出し路(38)の開口(34a)に近接して臨み、前記第１位置(X)と第２位置(Y)との間を移動可能な規制片(44)と、
前記規制片(44)の適宜位置に開設され、前記遊技球を１個ずつ通過させる寸法に設定した開口部(44a)と、
前記規制片(44)における移動方向に沿う端縁に沿って形成され、前記通孔(30a,32a)に連通するように球抜き部(28)に設けた通孔に摺動自在に挿通される板片(52)と、
前記規制片(44)における移動方向の一方端に該移動方向と交差して設けられ、前記第１位置(X)において球抜き部(28)の外側面に当接するフランジ状部(46)と、
前記フランジ状部(46)における前記板片(52)側の端縁に設けられて球抜き部(28)から離間する外方に向けて延出する第１の操作片(48)と、
前記第１の操作片(48)におけるフランジ状部(46)との接続端部側に設けた該フランジ状部(46)から離間するように延出する連結片に連結されて、該第１の操作片(48)と所定間隔離間して対向する第２の操作片(48)と、
前記第２の操作片(48)における連結片との連結部から規制片(44)の移動方向の他方端側に向けて所定長さで突出し、前記球抜き部(28)に形成した係合部(30b)に係脱自在に係合して前記第１位置(X)を確保すると共に、前記第１の操作片(48)に対して第２の操作片(48)を近接する押圧操作により前記連結片を支点として揺動することによって係合部(30d)から離脱する係合片(50)と、
前記板片(52)に設けられ、前記規制片(44)を前記第２位置(Y)へ到来させた際に前記球抜き部(28)に突設した係止片(54)に係脱自在に係合する切欠部(52a)とからなり、
前記遊技球切換部材(42)は、常には前記フランジ状部(46)が球抜き部(28)の外側面に当接すると共に前記係合片(50)が係合部(30b)に係合することで前記第１位置(X)に保持されて、前記規制片(44)に開設した開口部(44a)と前記払出し路(38)の開口(34a)とを部分的にのみ連通して前記遊技球の球抜き路(40)への通過を阻止し、
前記第１の操作片(48)に対して第２の操作片(48)を近接するように押圧操作することで、該第２の操作片(48)に設けられている前記係合片(50)を前記係合部(30b)から離脱させたもとで、前記規制片(44)を移動して切欠部(52a)が係止片(54)に係合することで位置規制される前記第２位置(Y)へ到来させることで、前記開口部(44a)と前記開口(34a)とが全面的に連通して前記遊技球を前記球抜き路(40)から機外へ排出するよう構成した
ことを特徴とするパチンコ遊技機の球抜き機構。
【請求項２】
前記球抜き部(28)は、前記規制片(44)の移動方向の一方の側に位置して前記規制片(44)および板片(52)が挿通される通孔(30a)が形成された外側ケース体(30)と、他方の側に位置して前記規制片(44)および板片(52)が挿通される通孔(32a)が形成された内側ケース体(32)とから箱状に形成されて内部に前記払出し路(38)が画成され、
前記係合部(30b)は外側ケース体(30)の外側壁部に開設されて、該係合部(30b)に第１位置(X)において前記遊技球切換部材(42)の前記係合片(50)がケース体内部で係合し、
前記係止片(54)は内側ケース体(32)の内部に形成されて、該係止片(54)に第２位置(Y)においてケース体内部に臨む前記板片(52)の前記切欠部(52a)が係合するよう構成した請求項１記載のパチンコ遊技機の球抜き機構。
【発明の詳細な説明】
【０００１】
【発明の属する技術分野】
この発明は、パチンコ遊技機の球抜き機構に関し、更に詳しくは、機裏側に貯留した遊技球を、パチンコゲームの入賞成立に対する賞球として球皿側へ払出し得る一方、球抜き操作により戻し球(返し球)として機外へ抜出し得るパチンコ遊技機において、貯留球の不正な球抜きを防止すると共に、部品点数を抑えて製造コストを低廉にするようにしたパチンコ遊技機の球抜き機構に関するものである。
【０００２】
【従来の技術】
パチンコ遊技機やアレンジボール機に代表されるこの種の遊技機では、球送り発射装置の遊技操作に基づいて開始される１球毎の球送り発射動作により、球皿から発射位置に送込まれた遊技球を遊技盤内に打出して所要のパチンコゲームを行ない得る。このパチンコ遊技機の裏側には球抜き部が配設され、その内部に、球排出経路に上部で連通すると共に下部で球皿側に連通する払出し路が形成されている。またこの払出し路の途中には開口が開設され、この開口に上部で連通すると共に下部で機外に開放する球抜き路が形成されている。更に開口には、払出し路に位置して該開口を開閉自在に制御する遊技球切換部材が配設されており、遊技球切換部材が、常には遊技球を払出し路に案内するよう開口を閉成した第１位置にある。従ってゲーム中の入賞条件(セーフ球の発生や入球による図柄組合わせの得点成立等)に対しては、機裏側の球排出経路内に貯留された球が、賞球払出装置の払出し作動毎に所定数の賞球として払出されて、所定の払出し路から上球皿および下球皿へ給出される。また遊技機の取扱いにより球排出経路内の相当量の貯留球を抜取る必要がある場合には、遊技球切換部材を第２位置へ到来させることで開口を開放し、前記遊技球を前記払出し路から球抜き路を介して機外へ排出する。この遊技球切換部材の切換えは、一般に前枠の正面側部に形成された操作孔から操作杆を挿入して機裏側の球抜き装置を作動させ、該切換部材を球抜き路と連通する第２位置に保持させることにより、貯留球を球抜き路から機外の裏側へ放出し得るようになっている。なお操作杆は、針金状材に摘み部を付けた程度のものでホール管理者側で管理されるが、入手容易な直線材でも充分代用できる。
【０００３】
このようなパチンコ遊技機にあって、賞球の払出しとは別に、球抜き操作により全ての貯留球を抜出し可能にする形態として、一般に前記賞球払出装置では、入賞条件毎に対する電動具(ソレノイドやモータ)の駆動制御により、球経路に臨む球送り体を回転制御させながら賞球を払出してカウント検出する電動タイプが使用され、また前記球抜き装置では、前述の操作杆で作動されるスイッチの検出入力に基づく電磁ソレノイドの駆動制御により、前記遊技球切換部材を第１位置から第２位置に切換え保持して抜出す電気タイプが使用されている。
【０００４】
なお前記球抜き装置については、操作杆の他に外枠から開放された前枠の裏側において、指先操作によりスイッチを操作検出できるようになっている。また双方の装置では、電子制御装置での球抜き制御処理として、前記スイッチの検出入力を１回だけ有効化し、球抜き作動後には正常な復旧処理として電源再投入または電子制御装置に係るリセット入力操作を行なう。そしてこの処理を行なわない限り、同スイッチの以後の検出入力を無効として球抜き不能に設定されている。このもとで前記電動具(ソレノイドやモータ)および電磁ソレノイドが、球抜き用のスイッチの検出入力に対する電子制御装置でのタイマー設定条件に基づいて、所定時間経過後に自動復帰するよう設定されている。
【０００５】
【発明が解決しようとする課題】
前記パチンコ遊技機では、機裏側の貯留球を賞球として払出すことの他に、遊技用の貸し球として払出すことが一般的になりつつある。この現状において多くの場合、電動タイプの賞球払出装置が使用され、これに対応して前記球抜き装置が組み込まれている。このような実施形態にあっては、賞球と貸し球との区分払出しが容易になり、また全ての貯留球の抜出しが可能であるとしても、貯留球の不正抜出し獲得を許してしまう大きな問題があった。すなわち現状において球抜き用のスイッチは、前記操作杆以外の針金状材でも簡単に操作検出されてしまい、この検出入力に基づいて双方の装置が球抜き状態と球払出し解放状態とに作動される。このため、遊技機の構成ならびに両装置の形態等を熟知した不正者が、平常の遊技を装う姿勢で線状の不正物を上球皿に連絡する供給口から前記賞球経路内に侵入させて、これを巧みに操りながら上方部に位置する球抜き装置側へ挿入して遊技球切換部材を払出し位置に拘束保持する。この状態で前記スイッチを不正に検出作動させた場合には、全ての貯留球が球払出し解放状態の賞球払出装置から放出された後、遊技球切換部材により払出し路へ放出されて上球皿または下球皿へ給出されてしまう。
【０００６】
従って、前述した電動タイプの賞球払出装置と球抜き装置とを併用状態で装備している多くのパチンコ遊技機にあっては、正常な球抜き操作により全ての貯留球を機外に抜出し得る便利な機能を有する反面、前述したような不正な球抜きによる獲得を許してしまう欠点を内在しており、これを好適に阻止できなかった。この結果、前記スイッチの１回の有効検出作動による不正抜出しだけを許すとしても、現実には数百個もの貯留球が抜出されてしまい、遊技機の台数が多くなれば到底看過できない数量の貯留球となって、ホール側が大きな損害を被ることになる。ちなみに不正球抜きは、隣在の遊技者にも気付かれない程の内に巧みに行なわれてしまい、ホール側ではコンピュータ管理による各台の可動状況をチェックした後に異常を察知しているような現状にある。
【０００７】
更に前記遊技球切換部材の作動手段として、リニアタイプの電磁ソレノイドやロータリタイプの電磁ソレノイドが実施されていた。しかるにこのリニアタイプのソレノイドでは、ロッドが直線的に往復動する形態であるため、該ロッドの直動変位を遊技球切換部材の回動変位に変換する連繋部材を必要とし、遊技球切換部材の作動系が複雑となって作動不良が発生し易くなると共に、装置全体が大型化する欠点がある。またロータリタイプの電磁ソレノイドでは、ロッドに前記遊技球切換部材を直結し得るので該遊技球切換部材の作動系が簡素となり作動不良等の不具合を防止できる利点があるが、その反面、円形の外郭体が大型で設置面積を多く要することにより、却って装置全体の小型化を困難にすることとなる。
【０００８】
【発明の目的】
本発明は、前述した従来の技術に内在している前記課題に鑑み、これを好適に解決するべく提案されたものであって、簡易な構成で製造コストを低廉にし得ると共に、機裏側の球排出経路に連なる球抜き部の遊技球切換部材を、不正を目論む悪意な人為的操作では球払出し状態に保持できないようにして、機前側からの不正な球抜き行為による貯留球の抜取り獲得を防止し得るようにしたパチンコ遊技機の球抜き機構を提供することを目的とする。
【０００９】
【課題を解決するための手段】
前述した課題を克服し、所期の目的を好適に達成するため、本発明に係るパチンコ遊技機の球抜き機構は、
パチンコ遊技機の裏側に配設される球抜き部の内部に形成され、球排出経路に上部で連通すると共に下部で球払出装置に連通する払出し路と、この払出し路の途中に開設した開口に上部で連通すると共に下部で機外に開放する球抜き路と、前記払出し路に位置して前記開口を開閉自在に制御する遊技球切換部材とからなり、この遊技球切換部材は常には第１位置にあって前記開口を閉成し、該遊技球切換部材を第２位置へ到来させることで該開口を開放し、前記球排出経路の遊技球を前記払出し路から球抜き路を介して機外へ排出するよう構成したパチンコ遊技機の球抜き機構において、
前記遊技球切換部材は、
前記球抜き部に設けた通孔に摺動自在に挿通されて前記払出し路の開口に近接して臨み、前記第１位置と第２位置との間を移動可能な規制片と、
前記規制片の適宜位置に開設され、前記遊技球を１個ずつ通過させる寸法に設定した開口部と、
前記規制片における移動方向に沿う端縁に沿って形成され、前記通孔に連通するように球抜き部に設けた通孔に摺動自在に挿通される板片と、
前記規制片における移動方向の一方端に該移動方向と交差して設けられ、前記第１位置において球抜き部の外側面に当接するフランジ状部と、
前記フランジ状部における前記板片側の端縁に設けられて球抜き部から離間する外方に向けて延出する第１の操作片と、
前記第１の操作片におけるフランジ状部との接続端部側に設けた該フランジ状部から離間するように延出する連結片に連結されて、該第１の操作片と所定間隔離間して対向する第２の操作片と、
前記第２の操作片における連結片との連結部から規制片の移動方向の他方端側に向けて所定長さで突出し、前記球抜き部に形成した係合部に係脱自在に係合して前記第１位置を確保すると共に、前記第１の操作片に対して第２の操作片を近接する押圧操作により前記連結片を支点として揺動することによって係合部から離脱する係合片と、
前記板片に設けられ、前記規制片を前記第２位置へ到来させた際に前記球抜き部に突設した係止片に係脱自在に係合する切欠部とからなり、
前記遊技球切換部材は、常には前記フランジ状部が球抜き部の外側面に当接すると共に前記係合片が係合部に係合することで前記第１位置に保持されて、前記規制片に開設した開口部と前記払出し路の開口とを部分的にのみ連通して前記遊技球の球抜き路への通過を阻止し、
前記第１の操作片に対して第２の操作片を近接するように押圧操作することで、該第２の操作片に設けられている前記係合片を前記係合部から離脱させたもとで、前記規制片を移動して切欠部が係止片に係合することで位置規制される前記第２位置へ到来させることで、前記開口部と前記開口とが全面的に連通して前記遊技球を前記球抜き路から機外へ排出するよう構成したことを特徴とする。
【００１０】
【作用】
遊技球切換部材が球抜き部に設けた通孔に沿って第１位置に移動した際には、該切換部材に設けた開口部が払出し路の開口を閉成することで、該払出し路を通過する遊技球が戻し路への通過を阻止されて払出し路から球皿に案内給送される。また遊技球切換部材を第１位置から第２位置に移動させた際には、該遊技球切換部材に形成した開口が払出し路の開口を開放することにより、該開口を介して遊技球が戻し路に案内給送される。
【００１１】
【発明の実施の形態】
次に、本発明に係るパチンコ遊技機の球抜き機構について、好適な実施例を挙げて添付図面を参照しながら以下詳細に説明する。なお本実施例では、遊技球を１個ずつ遊技盤内に打出して遊技球の入賞ゲーム(アウト球とセーフ球との区分)を展開するタイプにあって、機裏側の貯留球を、入賞成立(セーフ球の発生)に対する賞球と、球貸しシステムを利用した遊技用の貸し球とに区分排出して球皿側へ供給し得るパチンコ遊技機の場合を主に例示する。
【００１２】
先ず、図１に略示するパチンコ遊技機および図２に略示する球処理部について要約説明すると、外枠Ａに組付けられた前枠Ｂの裏側に、夫々の球処理部を有する機構セット盤Ｃが着脱可能にセットされている。この機構セット盤Ｃでは、遊技盤点検用の窓口１１の周囲において、アウト球用の排出路とセーフ球用の処理路(何れも図示せず)が区画形成される一方、賞球用の球排出経路(賞球貯留排出部)１０として、最上端の球タンク１２と整列用の整流樋１４および減圧用の送出樋１６が順に連接されて、相当数の遊技球を貯留して送出し得るようになっている。また送出樋１６の下流端に、払出し路３８を内部に形成した本実施例の球抜き機構２０(後述)が着脱可能にセットされると共に、該球抜き機構２０の出口下方に球払出装置２２が配設されている。なお球払出装置２２については、球排出経路１０からの球を１個ずつ通入出検出するもので、その内部には、図１０に示す如く、球送りに供される回転スプロケット状の球送り体２３と、該球送り体２３の回転・停止を制御する係止片２５および該係止片２５の切換え作動源としての電磁ソレノイド(図示せず)等が配設されている。そして該電磁ソレノイドの通電時に発生された励磁力により係止片２５を所定方向に移動させることで、球送り体２３を回転あるいは停止するよう構成されている。
【００１３】
このような本実施例のパチンコ遊技機は、遊技ホール内での設置枠台(通称「島」)の各区画枠内に前記球貸しシステムと共に設置されて縦向きで遊技に供される。この状態において、図示しないが、各列毎の設置枠台の補給設備における配給ユニットから必要時に供給される相当量の遊技球を、前記球排出経路１０の球タンク１２内に受入れて前記整流樋１４および送出樋１６に収容しており、パチンコゲーム中に発生したセーフ球に対して所定数の賞球を払出すよう構成されている。一方球貸しシステムでは、前記整流樋１４の下流側に配設した貯留球検出用のスイッチ(図示せず)の球有り検出条件において、使用するカードの有効金額内における一定額単位に対して設定数の貸出し制御をなすもので、カードリーダ２４およびカード挿入口等を有するカードユニット２６が前記外枠Ａの外側に装備されて、前枠Ｂの裏側下部に設置された中継制御部(インターフェースボード)２７にカードリーダ２４と上球皿側の球貸し操作部等が夫々接続されている。そしてカードリーダ２４の球貸し判読制御処理条件に応答して前記球払出装置２２が作動されることにより、払出しされた貸し球が上球皿へ供給されるようになっている。
【００１４】
前記パチンコ遊技機の裏側に配設された前記機構セット盤Ｃにおける球払出装置２２の上流側には、図３〜図５に示すような球抜き機構２０が配設される。この球抜き機構２０は、矩形箱状にユニット化された合成樹脂製の球抜き部２８を基体とし、その内部に前後２列の前記払出し路３８が形成されるものであって、図に示す如く、前記機構セット盤Ｃに配設した状態において、その表面側に位置する外側ケース体３０と該セット盤Ｃの取付け側に位置する内側ケース体３２の２部材で構成されている。なおこの球抜き機構２０では、賞球用と貸し球用の払出し路３８が２列で形成された例を挙げて説明するが、該払出し路３８としてはこの形成数に限定されるものではなく、１列あるいは３列以上であっても、それに合わせた同様の構成(後述)であれば好適に採用できることは勿論である。
【００１５】
各ケース体３０,３２が相互に対向する内側には、前記払出し路３８を形成するレール体が一体成型されている。このうち外側ケース体３０に形成された第１レール３４は、図に示すように、遊技球の通過を許容する幅を保持して形成された一対の案内部位で構成されたものであって、前記送出樋１６と連通する上側から延在する部分が水平方向に略Ｕ字状を呈するよう湾曲した後、該送出樋１６と連通する上流側の払出し路３８と上下方向で略整列する位置で下方に向かって湾曲するよう形成されている。また内側ケース体３２に形成された第２レール３６は、第１レール３４を形成する外側の案内部と内側の案内部との略中間位置に、所定間隔離間して臨み得る形状に形成された案内部で構成されている。そして、両ケース体３０,３２を相互に係合させることにより、第１レール３４と第２レール３６とによって２列で蛇行する払出し路３８が、球抜き部２８の内側に画成されるようになっている。
【００１６】
この払出し路３８を形成する第１レール３４の途次には、図４に示すように、略Ｕ字状の下側湾曲部に位置する部分に、該払出し路３８の一部を切欠く状態で遊技球の通過を許容する大きさの開口３４ａが開設されている。そして、この開口３４ａから下流側に位置する払出し路３８を通過した賞球が、更にその下流側直下に配設された球払出装置２２に供給されると共に、払出し路３８に対して該開口３４ａから分岐した部分が、アウト球用の排出路および処理路に連通する球抜き路４０となっている。なお、開口３４ａを略Ｕ字状の下側湾曲部に形成することにより、該開口３４ａを開放した状態では、その上流側から流下してＵ字状の上側湾曲部を通過した貯留球が、その落下する際の慣性力により該開口３４ａを介してそのまま速やかに球抜き路４０に案内されるようになっている。また開口３４ａが形成される部分の外側ケース体３０には、後述する遊技球切換部材４２が挿入される通孔３０ａが形成されると共に、内側ケース体３２には、該通孔３０ａとの対向面に同一形状の別の通孔３２ａが形成されている。この各通孔３０ａ,３２ａは、開口３４ａに沿って円弧状を呈するよう形成されており、遊技球切換部材４２が摺動自在に挿通されるようになっている。
【００１７】
前記遊技球切換部材４２には、図４および図６に示すように、前記通孔３０ａ,３２ａに摺動自在に挿通されて前記払出し路３８の開口３４ａに近接して臨み、第１位置Ｘと第２位置Ｙとの間を移動する規制片４４が形成されている。この規制片４４は、開口３４ａを閉成し得る寸法の長方形状体を前記払出し路３８のＵ字状経路部に沿うよう短手方向に湾曲成形されたものであって、フランジ状部４６(後述)に近接する側と該フランジ状部４６から離間する側に近接した側に、遊技球を１個ずつ通過させる寸法に設定した開口部４４ａが湾曲面に沿って縦長に開設されると共にその上端部から水平方向に延在する水平片５２が一体的に形成されている。また規制片４４には、前記球抜き部２８に形成した係合部３０ｂに係脱自在に係合して第１位置Ｘを確保する係合片５０が押圧変形自在に設けられると共に、規制片４４を球抜き部２８に挿通した際に該球抜き部２８の外側に位置し、押圧操作により該係合片５０を弾性変形させて係合部３０ｂから離脱させる操作片４８が上下一対で設けられている。なお係合片５０は、該操作片４８,４８と共に規制片４４の長手方向一端部側に設けたフランジ状部４６において、上側の操作片４８から該規制片４４の延在方向に沿って所定長さで突出するよう成形されている。
【００１８】
前記水平片５２には、図６に示すように、矩形状の切欠５２ａが形成されており、第２位置Ｙにおいて、前記内側ケース体３２に突設成形した係止片５４と係止するようになっている。そして前記外側ケース体３０および内側ケース体３２の各通孔３０ａ,３２ａを介して球抜き部２８の内部に規制片４４を挿通配置した遊技球切換部材４２は、通常位置である第１位置Ｘにおいて、前記上側の操作片４８に設けた係合片５０が、図５に示す如く、該通孔３０ａの僅か上方に開設した前記係合部３０ｂに係合すると共に、当該水平片５２の切欠部５２ａが前記係止片５４から非係合状態にある(図７参照)。また後述する所定の動作を経て、遊技球切換部材４２を開口３４ａに沿って移動させることにより、前記水平片５２に設けた切欠部５２ａが係止片５４に係止するよう構成されている(図９参照)。
【００１９】
【実施例の作用】
前述のように構成された本実施例のパチンコ遊技機は、遊技ホール内の設置枠台にカードユニット２６と共に設置されて遊技に供し得る。そしてカードユニット２６に対するカードの挿入ならびに機前側での球貸し操作により、前記球排出経路１０を構成する球タンク１２、整流樋１４および送出樋１６を介して貸し球が上球皿に給出される。このもとで遊技操作(打球発射操作)を行なうことにより、機内の発射装置に１球ずつ送込まれた遊技球を遊技盤に打出して所要のゲームを展開させる。
【００２０】
この場合、前記球抜き機構２０に配設した遊技球切換部材４２は、図７(ａ)に示すように、常には前記フランジ状部４６が外側ケース体３０の外側面に当接した状態で該ケース体３０内への移動が規制されると共に、前述した如く、前記操作片４８に設けられた係合片５０が、外側ケース体３０に開設した係合部３０ｂと係合することで、該ケース体３０外への移動が規制された第１位置Ｘに保持されている。このように遊技球切換部材４２が第１位置Ｘに位置する状態では、規制片４４の開口部４４ａが払出し路３８の開口３４ａから変移することにより、図７(ｂ)に示す如く、該払出し路３８の開口３４ａと開口部４４ａとが部分的にのみ連通して、遊技球の前記球抜き路４０への通過を阻止する。従ってゲーム開始の貸し球およびセーフ球に対する払出しのために払出し路３８を流下する全ての遊技球は、図１０(ａ)に示すように、全て球払出装置２２に案内供給される。
【００２１】
一方貯留球の球抜きをする際には、前記前枠Ｂを回動して機構セット盤Ｃを開放させ、パチンコ機の裏側を露出させた状態で遊技球切換部材４２を前記開口３４ａに沿って手前側に引出すようにする。この際には、図８(ａ)に示すように、上側の操作片４８を下側の操作片４８に対して手指等で挟持して近接させることにより前記係合片５０を係合部３０ｂから離脱させる。この状態では、図８(ｂ)に示す如く、払出し路３８の開口３４ａと規制片４４の開口部４４ａとが部分的に連通して遊技球の前記球抜き路４０への通過が未だ阻止された状態にある。そしてこの状態から、前述したように、遊技球切換部材４２を開口３４ａに沿って移動して第２位置Ｙに到来させる。これにより遊技球切換部材４２は、図９(ａ)に示す如く、切欠部５２ａが内側ケース体３２の前記係止片５４に係止されることでそれ以後の移動が規制されることになる。また遊技球切換部材４２を前記開口３４ａに沿って該第２位置Ｙに移動させることで、前記規制片４４の開口部４４ａが払出し路３８の開口３４ａと全面的に連通し、図９(ｂ)に示すように、該開口３４ａからの遊技球の通過を許容する状態となる。従って、球抜き時において払出し路３８を流下する全ての遊技球は、図１０(ｂ)に示す如く、球抜き路４０に案内供給される。
【００２２】
【発明の効果】
以上説明した如く、本発明に係るパチンコ遊技機の球抜き機構では、電磁ソレノイドや複数の部材からなる遊技球切換手段等を使用しないため、部品点数を減少させ得ると共に設置スペースを少なくすることができる。また部品点数の減少に伴って製造時の工程数も減少できることで、製造コストの低廉に寄与し得る。しかもこの球抜き機構は、遊技機の正面側からの操作ができないため、針金状材等を使用した不正な球抜きによる賞球の獲得を完全に防止することができる、等の利点がある。
【図面の簡単な説明】
【図１】本発明の実施例に係る球抜き機構を装備したパチンコ遊技機の裏側を示す背面図である。
【図２】パチンコ遊技機の裏側に設けた球抜き機構を斜視状態で示す説明図である。
【図３】球抜き機構の背面図である。
【図４】球抜き機構を分解状態で示す一部切欠斜視図である。
【図５】球抜き機構を図４とは逆の方向から分解状態で示す斜視図である。
【図６】球抜き機構に配設される遊技球切換部材の斜視図である。
【図７】球抜き機構に配設される遊技球切換部材の経時的動作を示す斜視図および一部側面図である。
【図８】球抜き機構に配設される遊技球切換部材の経時的動作を示す別の斜視図および一部側面図である。
【図９】球抜き機構に配設される遊技球切換部材の経時的動作を示す更に別の斜視図および一部側面図である。
【図１０】球抜き機構の動作を示す背面図である。
【符号の説明】
１０  球排出経路
１２  球貯留部
２８  球抜き部
３０  外側ケース体
３０ａ  通孔
３０ｂ  係合部
３２  内側ケース体
３２ａ  通孔
３４ａ  開口
３８  払出し路
４０  球抜き路
４２  遊技球切換部材
４４  規制片
４４ａ  開口部
４６  フランジ状部
４８  操作片(第１の操作片，第２の操作片)
５０  係合片
５２  水平片(板片)
５２ａ  切欠部
５４  係止片
Ｘ  第１位置
Ｙ  第２位置
【図１】
0004461448.tif 000002
【図２】
0004461448.tif 000003
【図３】
0004461448.tif 000004
【図４】
0004461448.tif 000005
【図５】
0004461448.tif 000006
【図６】
0004461448.tif 000007
【図７】
0004461448.tif 000008
【図８】
0004461448.tif 000009
【図９】
0004461448.tif 000010
【図１０】
0004461448.tif 000011